(57)【要約】【課題】ビニールで被覆された針金や紐で枝と茎との狭い間隔部分で縛る。この様な別部品や道具を持っての細かな作業を沢山の果物に長時間この姿勢で処理するには大変な労力を要するのを軽減し、動物や自然災害、散布時の農薬等々からの生育時の果物への被害を最小限に食い止め、且つ低コストの果物育成袋の提供することを目的とする【解決手段】上部に開口部を備えた袋で、開口部の上部の片側の内面に、離形紙付きの粘着剤部が左右方向長尺状に備えた果物育成保護袋で、袋の開口部の粘着剤部の上部に、長尺状の吊り下げ部を、袋との接続部を残して切り離すためのミシン目を備えた事を特徴とする果物育成保護袋。【選択図】図１
2018074917.tif 000002
【特許請求の範囲】
【請求項１】
上部に開口部を備えた袋で、開口部の上部の片側の内面に、離形紙付きの粘着剤部が左右方向長尺状に備えたことを特徴とする果物育成保護袋。
【請求項２】
袋開口部の粘着剤部の加工上部に、ミシン目を用い袋との接続部を残して切り離し、長尺状の吊り下げ部と成す事を特徴とする請求項１記載の果物育成保護袋。
【請求項３】
開口部の前後２枚のフィルムを段違いにして製袋加工したことを特徴とする請求項１又は２に記載の果物育成保護袋。
【請求項４】
前記袋は不織布と、通気性プラスチックフィルムを張り合わせて積層フィルムにしたことを特徴とする請求項１から３の何れか一つに記載の果物育成保護袋。
【発明の詳細な説明】
【技術分野】
【０００１】
本発明は果物の育成期間中、保護機能を果たす果物育成保護袋に関する。          
【背景技術】
【０００２】
従来から、果物の生育期間中に、対象の果物を虫や野鳥等の動物の被害や自然災害等からも守り、果物自身の品質の維持、生育補助の意味から保護用の袋を被せる事が行われてきた。一般的に農作業の問題点の一つに、生育、管理する人に多くの労苦が掛かる点が挙げられるが、果物を育てる事も例外で無く、その生育過程に多大の手間を要している。従事する作業者の高齢化も進む中、大きな木の高い所に生って居る果物一つ一つに保護袋掛けや、その袋口部を針金や紐等で結ぶ作業の等への労力に、大きな問題が残って居る。            
【先行技術文献】
【特許文献】
【０００３】
【特許文献１】特開２００９−６５９０７公報
【特許文献２】特開平０８−８９１０６公報
【発明の概要】
【発明が解決しようとする課題】
【０００４】
果物育成保護袋は当初、一般的には紙袋でスタートしたが、雨風に曝される環境下で、対候性の向上や虫や他の動物からも保護する機能と共に、育成途中で散布される農薬等の果物への付着防止性能や、果物自身の生育も促進する目的も加味され、各目的を包含する素材で果物を包む事が求められる様に進化して来た。先行技術は生育時の果物の保護と、袋の機能に着目して考案されているが、一番大切な作業性の向上への部分に配慮が少なく感じられる。果物への袋掛けは多くの場合、上を向いて対象とする果物に袋を広げ包み込んで、その後に袋の上部開口部を閉じる為に広い開口部を両手で、ビニールで被覆された針金や紐で枝と茎との狭い間隔部分で縛る。この様な別部品や道具を持っての細かな作業を沢山の果物に長時間この姿勢で処理するには大変な労力を要する。
【０００５】
併せて近年農作業従事者の高齢化に伴い更なる、労力の軽減、作業の効率化が求められる為、果物育成保護袋その物の簡便作業化に向けた改良改質も課題となってくる。又、強風等で折角生育した果物が落下して、食用に成らない事故発生防止機能も果物育成保護袋に要求されるが、併せて必要とするその袋基材の価格も大きな課題と成る。本発明はそれら課題を解決するものである。
【課題を解決するための手段】
【０００６】
上部に開口部を備えた袋で、開口部の上部の片側の内面に、離形紙付きの粘着剤部が左右方向長尺状に施したことで解決する果物育成保護袋。
【０００７】
前記袋の開口部の粘着剤部の上部に、長尺状の吊り下げ部を、袋との接続部を残して切り離すためのミシン目を備えた事で、対処解決する果物育成保護袋である。
【０００８】
開口部の前後のフィルムを、開け易さ作業性向上の目的より段違いにしたことを特徴とする果物育成保護袋である。
【０００９】
前記袋は不織布と、通気性プラスチックフィルムを張り合わせて積層フィルムにしたことを特徴とする果物育成保護袋である。
【発明の効果】
【００１０】
果物の生育段階で問題と成る点は、散布される農薬等薬剤の果物表面への付着と、虫や鳥等の動物による被害、風雨による落下とされる。果物自身が呼吸している事より、使用する保護用の袋は育成時には通気性が求められ且つ外部からの薬剤の進入路防止する役割も必要と成り、又強度的にも破れにくく、動物被害や落下にも対応する強度、果物表面の保護性、果物自身の紫外線への対応等が袋仕様上の必要機能と成る。本発明に使用する不織布は、ポリプロピレン等の樹脂をエンドレス状に長繊維で多数本溶出され、重ね合わせ加熱・溶融させるが、ウエブを形成させている事より通気性は元より引き裂き強度にも優れた効果を示す。また、通気性プラスチックフィルムはポリエチレン等のフィルムに炭酸カルシューム等を混ぜ製膜時に微細な穴が儲ける方法や、物理的に微細な穴を開ける等行う事により植物の呼吸に配慮され且つ、外部からの農薬散布時等に遮断効果を示す。しかし引き裂き強度面で劣る部分が有る事より、これら２枚のフィルム張り合わせ品は双方の弱点・利点を補い合い、又果物の種類と必要によりフィルム自身に着色加工を施す事も求められそれらは本発明の目的に適合するものと成る。これらフィルムで製袋された袋開口部の上部片側には横方向に袋左右開口全幅に細幅で離形紙が付いた形態で粘着剤が加工されており、上面に張り合わされた離形紙を剥がして押えれば袋口部左右が果物茎部を残して簡便にシールされ、果実茎部に優しく、密封状態を形成し、外部からの虫等の侵入を防止する効果を容易に作り出す。袋の形状は四角、台形、三角、丸型でも良いが果物が被せ易く、且つ果実の大きく成長後の収穫時には開口部が大きい製袋形状が作業効率上も良い。本発明は広い口径の開口部を簡易に開閉する事が可能となる様に左右のフィルムを段違いに製袋加工する事も特徴の一つと成って居る。袋上部開口部に施された縦横からなる部分的な切り目状のミシン目部分からフィルム上部を切り離すと左右のミシン目の無い部分で切り離しが止まり、端部が繋がった吊り下げ紐付き袋状になる。必要に応じてこれを果物の幹の部分に縛ることにより果物落下時の吊り下げ部と成る紐状の２本の果物吊り下げ部が出来る構造と成って居る。解いて使用すれば袋の再利用も可能と成る。
【図面の簡単な説明】
【００１１】
【図１】果物育成保護袋の構成
【図２】果物育成保護袋a―a´断面図
【図３】果物育成保護袋上部切り離し時の図
【図４】果物育成保護袋取り付け時の図
【図５】図２の部分拡大図
【図６】ミシン目各案
【発明を実施するための形態】
【００１２】
図１に示すように通気性プラスチックフィルムや不織布のその張り合わせた品からなる複合フィルムには前もって果物の特性に応じた着色がなされて居ても良く、それらフィルムを２枚もしくは半折状で重ね、袋は四角形、台形、三角形等々に左右のヒートシール部１で、袋開口部前後は、段違い部６を備え袋加工される。また、袋の開口部の粘着剤部２の上部に、吊り下げ部５を、袋との接続部を残して長尺状に、分離する部分的に切り目となったミシン目を備える。例えば、図１では、袋の前後の離形紙付きの粘着剤部２の上部に、Ｌ字型のミシン目３、左端部には、ミシン目３がなされて居ない接続部４を備える。ミシン目を切り離すと長尺状の吊り下げ部５が形成される。袋開口部から切り離された吊り下げ部５で、木枝に結ぶことができる。
【００１３】
図２は図１の果物育成保護袋のa―a´断面図である。開口部の片面には粘着剤部２が離形紙と共に塗布加工がなされており、その上部に部分的に切り目状となったミシン目３が加工されていて、袋開口部には段違い部６が有る。
【００１４】
図３は果物育成保護袋の上部を切り離し時の図であり、前後２枚からなる果物育成保護袋の開口部の段違い部６を利用して開口し、フィルムに施されたミシン目３で、切り離した時に開口部前後のフィルムの２枚が、それぞれ左右もしくは両片側の接続部４で袋に繋がった形態で紐状の吊り下げ部５が２本形成出来る事を表して居る。
【００１５】
図４は、果物育成保護袋を取り付け時の図である。吊り下げ部５を切り離し、粘着剤部２の上面の離形紙を取り外し、果物育成保護袋の開口部を果物の茎の部分で果物に負荷無く張り合わせて閉じる。袋の上部でミシン目より切り離された吊り下げ部５を、果物の木枝７に結び付け、果物落下しないようにする。
【００１６】
図５は図２の部分拡大図であり、部分又は面で張り合わされた内面の通気性
プラスチックフィルム８と、外面の不織布９と加工された粘着剤１０と、離
形紙１１から成っておりミシン目３の断面部がある。
【００１７】
図６は、種々の吊り下げ部の形状をつくるための部分的に切り目状となったミシン目のパターン例を示す。Ａは真ん中から切り離す案、Ｂはミシン目が右端まで達する案、ＣとＤはミシン目がＬ字型で、袋の前側がＣで、後方がＤのパターン案で、其々が相互取り外し木枝に結ぶことを可能としている。
【産業上の利用可能性】
【００１８】
多くの労力を要する果物への袋掛け作業は同時に、時間との戦いでもあり、行われる作業の簡便化は不可欠なものと成る。紐や、針金等々の別部品を持ちながらの作業もその妨げとなる。本発明果実育成保護袋は果物茎部に優しくフィットして取り付ける事が可能であり、農薬散布時にも保護性が高く、生育を邪魔しない事と、長期的に見ても果物自身に余分な負荷が掛からない形態となっており、併せて、治具工具を必要とせずに作業時の諸問題点を解消し、利便性も高く且つ、必要とされる機能に低コストの素材で且つ再利用も対応可能と成る事より、産業上の利用性も高い物と成る。
【符号の説明】
【００１９】
１    ヒートシール部
２    粘着剤部
３    ミシン目
４    接続部
５    吊り下げ部
６    段違い部
７    木枝
８    通気性プラスチックフィルム
９    不織布
１０  粘着剤
１１  離形紙
【図１】
2018074917.tif 000003
【図２】
2018074917.tif 000004
【図３】
2018074917.tif 000005
【図４】
2018074917.tif 000006
【図５】
2018074917.tif 000007
【図６】
2018074917.tif 000008